(57)【特許請求の範囲】
【請求項１】
検査室内に配置された被検体の撮影又は治療を行うための検査手段を有する医用装置において、
前記検査室に隣接する操作室内に配置され、前記検査手段による撮影又は治療に関連する情報、及び前記医用装置の警告情報を含むメッセージを表示する第１の表示手段と、
前記医用装置の操作者が前記検査室内に位置しているか否かを検出する位置検出手段と、
前記位置検出手段により検出された前記操作者の位置情報に基づいて、前記操作者が前記検査室内に位置しているときに、重要であると決定した前記医用装置の警告情報を含むメッセージを識別可能に出力する前記検査室内に配置されたメッセージ出力手段とを
備えたことを特徴とする医用装置。
【請求項２】
前記操作者が前記操作室内に位置しているとき、前記第１の表示手段に前記メッセージを表示し、前記メッセージ出力手段への前記メッセージの出力を停止するようにしたことを特徴とする請求項１に記載の医用装置。
【請求項３】
前記メッセージ出力手段は、前記第１の表示手段に表示したサイズよりも大きなサイズで前記メッセージを表示する第２の表示手段を有することを特徴とする請求項１に記載の医用装置。
【請求項４】
前記メッセージ出力手段は、前記メッセージを音声で出力する音声手段を有することを特徴とする請求項１に記載の医用装置。
【請求項５】
前記位置検出手段は、前記操作者に携帯された発信手段からの信号に基づいて、前記操作者の位置を検出するようにしたことを特徴とする請求項１に記載の医用装置。
【請求項６】
予め設定された通知条件に基づいて前記メッセージが重要であるか否かを決定する決定手段を有することを特徴とする請求項１に記載の医用装置。
【請求項７】
前記通知条件は、少なくとも前記検査手段による撮影中、前記検査手段による撮影が行われる前の検査準備中、及び前記検査手段による撮影が行われた後の後処理中を含む各検査シーン、並びにこの検査シーンに設定された重要であるか否かの決定条件により構成され、
前記決定手段は、前記通知条件に含まれる前記メッセージが発生したときの検査シーンに対応する決定条件に基づいて決定するようにしたことを特徴とする請求項６に記載の医用装置。
【請求項８】
検査室内に配置された被検体の撮影又は治療を行うための検査手段と、前記検査室に隣接する操作室内に配置され、前記検査手段による撮影又は治療に関連する情報、及び警告情報を含むメッセージを表示する表示手段とを有する医用装置から得られた情報を出力するメッセージ出力装置において、
前記医用装置の操作者が前記検査室内に位置しているか否かを検出する位置検出手段と、
前記検査室内に配置され、前記位置検出手段により検出された前記操作者の位置情報に基づいて、前記操作者が前記検査室内に位置しているときに、重要であると決定した前記医用装置の警告情報を含むメッセージを識別可能に出力するメッセージ出力手段とを
備えたことを特徴とするメッセージ出力装置。
【請求項９】
前記操作者が前記操作室内に位置しているとき、前記メッセージ出力手段への前記メッセージの出力を停止するようにしたことを特徴とする請求項８に記載のメッセージ出力装置。
【請求項１０】
予め設定された通知条件に基づいて前記メッセージが重要であるか否かを決定する決定手段を有することを特徴とする請求項８に記載のメッセージ出力装置。
【請求項１１】
前記通知条件は、少なくとも前記検査手段による撮影中、前記検査手段による撮影が行われる前の検査準備中、及び前記検査手段による撮影が行われた後の後処理中を含む各検査シーン、並びにこの検査シーンに設定された重要であるか否かの決定条件により構成され、
前記決定手段は、前記通知条件に含まれる前記メッセージが発生したときの検査シーンに対応する決定条件に基づいて決定するようにしたことを特徴とする請求項１０に記載のメッセージ出力装置。
【発明の詳細な説明】
【技術分野】
【０００１】
本発明は、医用装置及びメッセージ出力装置に係り、特に警告情報等のメッセージを出力する医用装置及びメッセージ出力装置に関する。
【背景技術】
【０００２】
Ｘ線診断装置、Ｘ線ＣＴ装置、ＭＲＩ装置、及び核医学診断装置等の画像診断に用いられる画像診断装置、並びに放射線治療に用いられる放射線治療装置等の医用装置は、被検体を寝台に載せて撮影や放射線治療が行われる検査部、検査部を操作する操作部、操作を行うための画面の表示や撮影により生成された画像データの表示等の撮影や放射線治療に関連する情報を表示する表示部等の各ユニットを備えている。この医用装置の各ユニットは、Ｘ線、磁場、放射線等の外部への漏洩を防ぐシールド材で覆われた検査室、及びこの検査室に隣接する操作室等に配置される。そして、操作室に検査部の遠隔操作が可能な遠隔操作部が配置され、検査室に検査部及びこの検査部の近くに配置された遠隔操作部の一部の操作が可能な近接操作部が配置された画像診断装置が知られている（例えば、特許文献１参照。）。
【０００３】
ところで、医用装置の操作者は、検査部の寝台に被検体を載置した後、検査室と操作室を行き来しながら被検体の撮影や治療を行う。そして、撮影中や治療中に医用装置内で異常が発生した場合、そのエラーメッセージが操作室に配置された表示部に表示される。このメッセージを見た操作者は、緊急を要するエラーメッセージに対して即座に対処する。
【特許文献１】特開２００６―１９７９６４号公報
【発明の開示】
【発明が解決しようとする課題】
【０００４】
しかしながら、操作者が検査室にいるときに表示部にメッセージが表示されると、そのメッセージの確認及びこのメッセージに応じた作業の遅れにより、検査や治療が遅延する問題がある。また、作業の遅れにより再検査の必要が生じ、被検体に負担を掛けてしまう問題がある。
【０００５】
また、操作室の表示部を検査室にも配置することにより、その表示部にメッセージを表示させることができる。しかしながら、検査室では検査部の動作に支障がないように、例えば検査部の上部など操作者から離れた位置に制限されるため、メッセージの確認が困難である。
【０００６】
本発明は、上記問題点を解決するためになされたもので、操作者が検査室にいてもメッセージを容易に確認することができる医用装置及びメッセージ出力装置を提供することを目的としている。
【課題を解決するための手段】
【０００７】
上記問題を解決するために、請求項１に係る本発明の医用装置は、検査室内に配置された被検体の撮影又は治療を行うための検査手段を有する医用装置において、前記検査室に隣接する操作室内に配置され、前記検査手段による撮影又は治療に関連する情報、及び前記医用装置の警告情報を含むメッセージを表示する第１の表示手段と、前記医用装置の操作者が前記検査室内に位置しているか否かを検出する位置検出手段と、前記位置検出手段により検出された前記操作者の位置情報に基づいて、前記操作者が前記検査室内に位置しているときに、重要であると決定した前記医用装置の警告情報を含むメッセージを識別可能に出力する前記検査室内に配置されたメッセージ出力手段とを備えたことを特徴とする。
【０００８】
また、請求項８に係る本発明のメッセージ出力装置は、検査室内に配置された被検体の撮影又は治療を行うための検査手段と、前記検査室に隣接する操作室内に配置され、前記検査手段による撮影又は治療に関連する情報、及び警告情報を含むメッセージを表示する表示手段とを有する医用装置から得られた情報を出力するメッセージ出力装置において、前記医用装置の操作者が前記検査室内に位置しているか否かを検出する位置検出手段と、前記検査室内に配置され、前記位置検出手段により検出された前記操作者の位置情報に基づいて、前記操作者が前記検査室内に位置しているときに、重要であると決定した前記医用装置の警告情報を含むメッセージを識別可能に出力するメッセージ出力手段とを備えたことを特徴とする。
【発明の効果】
【０００９】
本発明によれば、操作者が検査室にいるときに、医用装置のメッセージを検査室に配置した出力部に、操作室の表示部に表示するよりも識別可能に出力することにより、そのメッセージを容易に確認することができる。これにより、メッセージに応じた作業を迅速に行うことが可能となり、撮影や治療における検査の迅速化を図ることができる。
【発明を実施するための最良の形態】
【００１０】
以下、図面を参照して本発明の実施例を説明する。
【実施例】
【００１１】
本発明の実施例は、Ｘ線診断装置、Ｘ線ＣＴ装置、ＭＲＩ装置、及び核医学診断装置等の画像診断に用いられる画像診断装置、並びに放射線治療に用いられる放射線治療装置等の医用装置に適用可能であるが、以下に説明する実施例では、Ｘ線診断装置の例を説明する。
【００１２】
図１は、Ｘ線診断装置の構成を示したブロック図である。このＸ線診断装置１００は、被検体Ｐを撮影する検査部１と、検査部１における撮影に必要な高電圧を発生する高電圧部２と、検査部１における撮影で生成されたＸ線投影データから画像データの生成や生成した画像データの保存を行なう画像処理部３とを備えている。
【００１３】
また、画像処理部３で生成された画像データの出力や、Ｘ線診断装置１００の各ユニットで発生した異常情報や警告情報等のメッセージを出力するデータ出力部４と、Ｘ線診断装置１００の操作者の位置を検出する位置検出部５と、位置検出部５で検出された操作者の位置情報に基づいて前記メッセージを処理するメッセージ処理部６とを備えている。
【００１４】
更に、メッセージ処理部６で処理されたメッセージを出力するメッセージ出力部７と、被検体Ｐの被検体情報、撮影条件、表示条件等の諸条件の入力、種々のコマンドの入力、検査部１の操作等を行う操作部８と、検査部１、高電圧部２、画像処理部３、データ出力部４、メッセージ処理部６、及びメッセージ出力部７等の各ユニットを統括して制御するシステム制御部９とを備えている。
【００１５】
検査部１は、被検体Ｐに対してＸ線を照射するＸ線発生部１０と、被検体Ｐを透過したＸ線を検出してＸ線投影データを生成するＸ線検出部２０と、被検体Ｐが載置される天板１７と、天板１７を移動可能に保持する支持台１５と、Ｘ線発生部１０、Ｘ線検出部２０及び支持台１５を保持するアーム１３と、アーム１３及び天板１７の移動を行なう機構部３０とを備えている。
【００１６】
Ｘ線発生部１０は、Ｘ線を発生するＸ線管１０１及びこのＸ線管１０１から発生するＸ線の被検体Ｐに対する照射範囲を設定するＸ線絞り器１０２を備えている。Ｘ線検出部２０は、被検体Ｐを透過したＸ線を検出して光に変換するイメージインテンシファイア２０１と、イメージインテンシファイア２０１からの光を検出して電気信号に変換した後、デジタル信号に変換してＸ線投影データを生成するテレビカメラ２０２とを備えている。
【００１７】
なお、放射線治療装置の検査部では、被検体Ｐの患部に放射線を照射する放射線照射部を有し、この放射線照射部を用いて被検体Ｐの治療が行われる。
【００１８】
機構部３０は、Ｘ線発生部１０及びＸ線検出部２０を被検体Ｐに相対的に移動させるために、天板１７を長手方向及び幅方向に移動する天板移動機構３０１と、アーム１３を所定方向に所定角度起倒するアーム起倒移動機構３０２と、天板移動機構３０１及びアーム起倒移動機構３０２を制御する機構制御部３０３とを備えている。
【００１９】
高電圧部２は、検査部１におけるＸ線発生部１０のＸ線管１０１に透視用や撮影用のＸ線を発生させるための高電圧を供給する高電圧発生部２１と、システム制御部９の制御に基づいて高電圧発生部２１の制御を行なうＸ線制御部２２を備えている。
【００２０】
画像処理部３は、検査部１のＸ線検出部２０で生成されたＸ線投影データに基づいて透視画像データ、撮影画像データ等の画像データを生成する画像データ生成部３１と0、画像データ生成部３１で生成された画像データ等を保存する記憶部３２とを備えている。
【００２１】
データ出力部４は、操作を行うための画面の表示や画像処理部３からの画像データの表示等の撮影に関連する情報を表示出力する第１の表示部４１、及び画像処理部３からの画像データを印刷出力する印刷部４２を備えている。そして、第１の表示部４１は、液晶パネル、ＣＲＴ等のモニタを備え、画像処理部３の画像データ生成部３１から出力された画像データを表示する。また、システム制御部９から供給される各ユニットの警告情報や異常情報等のメッセージを所定のサイズの文字、記号等で表示する。更に、印刷部４２は、プリンタなどを備え、画像データ生成部３１から出力された画像データを予め設定された印刷フォーマットに従って、フィルムなどに印刷出力する。
【００２２】
位置検出部５は、所定の周波数の電波を受信する受信機と、受信した信号を処理する処理回路を備え、Ｘ線診断装置１００の操作者が携帯する発信機１１０から発信された前記所定の周波数の電波を受信し、受信した信号を処理して操作者の位置を検出する。そして、検出した操作者の位置情報をメッセージ処理部６に出力する。
【００２３】
メッセージ処理部６は、システム制御部９から供給されるメッセージが重要であるか否かを決定する。そして、位置検出部５から出力される操作者の位置情報に基づいて、重要であると決定したメッセージを、データ出力部４の第１の表示部４１への表示出力よりも識別可能にメッセージ出力部７に出力させる。
【００２４】
メッセージ出力部７は、メッセージ処理部６から出力されたメッセージや画像処理部３の画像データ生成部３１から出力された画像データを表示する第２の表示部７１、及びメッセージ処理部６から出力されたメッセージを音声出力する音声部７２を備えている。
【００２５】
第２の表示部７１は、例えば第１の表示部４１と同様のモニタを備え、メッセージ処理部６から出力されたメッセージを、第１の表示部４１に表示されるサイズよりも大きなサイズ、又は第１の表示部４１に表示される色よりも目立つ色で表示する。また、画像データを表示しているときに、メッセージ処理部６からメッセージが出力されると、そのメッセージを優先して表示する。
【００２６】
操作部８は、検査部１から離れた位置から検査部１の操作が可能な遠隔操作部８１、及び検査部１の近くで検査部１の操作が可能な近接操作部８２により構成され、夫々キーボード、トラックボール、ジョイスティック、マウスなどの入力デバイスや表示パネル、更には、各種スイッチ等を備えている。そして、被検体Ｐの被検体情報の入力操作、透視を開始させる透視開始操作、撮影を行う撮影操作、透視を停止させる透視終了操作、アーム１３及び天板１７の移動による撮影方向などの各種撮影条件の設定操作、各種コマンドの入力操作を行う。
【００２７】
システム制御部９は、ＣＰＵ及び記憶回路等を備え、操作部８から供給されるコマンド信号や撮影条件などの入力情報を一旦記憶した後、これらの情報に基づいてアーム１３及び天板１７の移動制御、Ｘ線投影データの生成や画像データの生成と表示の制御などシステム全体の制御を行う。また、各ユニットから出力されるメッセージをデータ出力部４の第１の表示部４１に表示させる。更に、そのメッセージをメッセージ処理部６に供給する。
【００２８】
図２は、Ｘ線診断装置１００の検査部１、データ出力部４、位置検出部５、メッセージ出力部７、及び操作部８の配置例を示した図である。検査部１、この検査部１の近傍に配置された操作部８の近接操作部８２、位置検出部５、及びメッセージ出力部７は、検査部１で発生したＸ線の管理範囲外への漏洩を防ぐための検査室１２１内に配置される。また、データ出力部４及び操作部８の遠隔操作部８１は、検査室１２１に隣接された操作室１２２内に配置される。
【００２９】
検査室１２１には、検査室１２１及び操作室１２２の外側から検査室１２１への入室、並びに検査室１２１から検査室１２１及び操作室１２２の外側への退室が可能な出入口１２３が設けられている。また、検査室１２１から操作室１２２への入室及び操作室１２２から検査室１２１への入室が可能な出入口１２４が設けられている。そして、各出入口１２３，１２４にはＸ線の漏洩を防ぐ開閉可能なドアが設けられている。
【００３０】
検査室１２１内の位置検出部５には、発信機１１０を携帯した操作者の検査室１２１への入室により発信機１１０の発信する電波の検出が可能な最低の信号レベルを下限値とする範囲が設定されている。そして、発信機１１０が検査室１２１外に位置して各出入口１２３，１２４のドアが閉じられている場合、位置検出部５で検出される発信機１１０からの電波の信号レベルは下限値よりも低い。また、発信機１１０が検査室１２１内に位置している場合、又は各出入口１２３，１２４のドアが開かれて発信機１１０が各出入口１２３，１２４の近傍に位置している場合、発信機１１０からの電波の信号レベルは下限値以上になる。
【００３１】
従って、発信機１１０を携帯した操作者が検査室１２１の外側から出入口１２３又は出入口１２４のドアを開けたとき、及び検査室１２１内にいるときに、位置検出部５は操作者が検査室１２１内に位置している位置情報をメッセージ処理部６に出力する。また、発信機１１０を携帯した操作者が出入口１２３又は出入口１２４のドアを閉じた状態で検査室１２１の外側にいるときに、操作者が検査室１２１外に位置している位置情報をメッセージ処理部６に出力する。
【００３２】
なお、各出入口１２３，１２４のドアの開閉毎に検査室１２１への入室及び検査室１２１からの退室の検出が可能な２つのセンサを設け、各ドアの開閉によるセンサの信号に基づいて、操作者の位置を検出するようにしてもよい。また、検査室１２１への入室及び検査室１２１からの退室により各出入口１２３，１２４を通過した操作者の検出が可能な２つのセンサを設け、各出入口１２３，１２４の通過によるセンサの信号に基づいて、操作者の位置を検出するようにしてもよい。
【００３３】
次に、図１乃至図３を参照して、メッセージ処理部６の構成の詳細を説明する。  
図３は、メッセージ処理部６の構成を示したブロック図である。メッセージ処理部６は、システム制御部９から供給されたメッセージを受け付ける受付部６１と、受付部６１で受け付けたメッセージをメッセージ出力部７に出力させるほど重要であるか否かを決定する決定部６２と、決定部６２で決定されたメッセージをメッセージ出力部７に出力させる指示部６３とを備えている。
【００３４】
受付部６１は、システム制御部９から供給されたメッセージを受け付けて決定部６２に出力する。決定部６２は、メッセージ毎に予め設定された通知条件に含まれる決定条件に基づいて、受付部６１から出力されたメッセージが重要であるか否かを決定する。次いで、受付部６１でメッセージを受け付けたときに位置検出部５から出力された位置情報に基づいて、重要であると決定したメッセージを出力部７に出力させるか否かを決定する。
【００３５】
そして、操作者が検査室１２１内に位置している場合、重要であると決定したメッセージを指示部６３に出力する。また、操作者が検査室１２１外に位置している場合、検査室１２１内にいる被検体Ｐに不用な不安を与えないために、受付部６１から出力されたメッセージのメッセージ出力部７への出力を不必要と決定して、指示部６３へのメッセージの出力を停止する。なお、操作者は、検査中には被検体Ｐの安全の確保、及び検査を行うための操作部８の操作等の作業のために検査室１２１又は操作室１２２のいずれかにいる。
【００３６】
指示部６３は、決定部６２から出力されたメッセージを、予め設定された通知条件に含まれる出力条件に基づいて、メッセージ出力部７の第２の表示部７１及び／又は音声部７２に出力させる。そして、安全に関わるメッセージ等の高い緊急度のメッセージを、例えば第２の表示部７１及び音声部７２に出力させる。また、前記高い緊急度よりも低い緊急度のメッセージを第２の表示部７１に出力させる。
【００３７】
以下、図１乃至図５を参照して、Ｘ線診断装置１００の動作の一例を説明する。図４は、Ｘ線診断装置１００の動作を示すフローチャートである。また、図５は、予め設定された通知条件の一例を示す図である。
【００３８】
図４において、発信機１１０を携帯した操作者が被検体Ｐを伴って検査室１２１に入いることにより、Ｘ線診断装置１００は動作を開始する（ステップＳ１）。
【００３９】
位置検出部５は、発信機１１０から発信される電波信号に基づいて、操作者の位置を検出する。そして、その位置情報をメッセージ処理部６に出力する。
【００４０】
出入口１２３のドアを閉じた後、検査室１２１内に配置された近接操作部８２からアーム１３の下降操作が行われると、検査部１における機構部３０のアーム起倒移動機構３０２は、被検体Ｐが天板１７に乗降し易い高さまでアーム１３を下げる。次いで、被検体Ｐを天板１７上に載せた後、アーム１３の上昇操作及びアーム１３及び天板１７の撮影位置への移動操作が行われると、アーム１３を所定の高さまで上げて、被検体Ｐの撮影が可能な位置にアーム１３及び天板１７を移動させる。
【００４１】
遠隔操作部８１又は近接操作部８２から例えば透視開始の操作が行われると、システム制御部９は、検査部１、高電圧部２、画像処理部３、データ出力部４、メッセージ処理部６、及びメッセージ出力部７を制御して透視を開始させる。
【００４２】
検査部１のＸ線発生部１０は、被検体ＰにＸ線を照射する。Ｘ線検出部２０は、被検体Ｐを透過したＸ線を検出してＸ線投影データを生成し、生成した画像データを画像処理部３の画像データ生成部３１に出力する。画像データ生成部３１は、Ｘ線検出部２０から出力されたＸ線投影データから透視画像データを生成してデータ出力部４の第１の表示部４１及びメッセージ出力部７の第２の表示部７１に表示する。そして、第１及び第２の表示部４１，７１に表示された透視画像データを観察する操作者により、遠隔操作部８１又は近接操作部８２から撮影操作が行われると、画像データ生成部３１は生成した撮影画像データを記憶部３２に保存する。
【００４３】
遠隔操作部８１又は近接操作部８２から透視終了操作が行われると、システム制御部９は、検査部１、高電圧部２、画像処理部３、データ出力部４、メッセージ処理部６、及びメッセージ出力部７を制御して透視を停止させる。
【００４４】
そして、記憶部３２に保存した被検体Ｐの撮影画像データを表示させる操作が遠隔操作部８１又は近接操作部８２から行われると、第１又は第２の表示部４１，７１に撮影画像データが表示される。更に、遠隔操作部８１又は近接操作部８２から印刷操作が行われると、印刷部４２は、第１又は第２の表示部４１，７１に表示された撮影画像データを印刷出力する動作を開始する。そして、印刷部４２内に例えばフィルムがないと、印刷部４２は「フィルムが不足しています」等のメッセージをシステム制御部９に出力する。
【００４５】
システム制御部９は、印刷部４２から出力されたメッセージを第１の表示部４１に表示させる(ステップＳ２)。また、そのメッセージをメッセージ処理部６に供給する。このように、第１の表示部４１にメッセージを表示させることにより、即座に通知することができる。これにより、操作者が操作室１２２内にいるときにそのメッセージを容易に確認することができる。
【００４６】
メッセージ処理部６の受付部６１は、システム制御部９から供給されたメッセージを受け付けて決定部６２に出力する。決定部６２は、予め設定された通知条件に含まれる決定条件に基づいて、受付部６１から出力されたメッセージが重要であるか否かを決定する。
【００４７】
そして、メッセージが重要である場合（ステップＳ３のはい）、ステップＳ４へ移行する。また、メッセージが不必要である場合（ステップＳ３のいいえ）、受付部６１から出力されたメッセージの指示部６３への出力を停止してステップＳ６へ移行する。このように、メッセージが不必要である場合にメッセージ出力部７への出力を停止させることにより、被検体Ｐに不用な不安を与えるのを防ぐことができる。
【００４８】
次いで、受付部６１でメッセージを受け付けたときに位置検出部５から出力された位置情報に基づいて、重要であると決定したメッセージを出力部７に出力させる必要があるか否かを決定する。そして、操作者が検査室１２１内に位置している場合（ステップＳ４のはい）、重要であると決定したメッセージを指示部６３に出力する。また、操作者が検査室１２１外に位置している場合（ステップＳ４のいいえ）、受付部６１から出力されたメッセージの指示部６３への出力を停止してステップＳ６へ移行する。
【００４９】
指示部６３は予め設定された通知条件に含まれる出力条件に基づいて、決定部６２から出力されたメッセージを、メッセージ出力部７の第２の表示部７１に第１の表示部４１に表示されるサイズよりも大きいサイズで表示する(ステップＳ５)。
【００５０】
このように、操作者が検査室１２１内にいるとき、第２の表示部７１に第１の表示部４１に表示されるよりも大きなサイズのメッセージを表示させることにより、そのメッセージを即座に通知することができる。これにより、操作者がメッセージを容易に確認することができる。また、操作者が操作室１２２内にいるとき、メッセージ出力部７へのメッセージの出力を停止させることにより、被検体Ｐに不用な不安を与えるのを防ぐことができる。
【００５１】
ここで、第２の表示部７１に表示されたメッセージを見た操作者が印刷部４２にフィルムを補充するために出入口１２４のドアを開けて通過した後に閉じると、位置検出部５は、操作者が検査室１２１外に位置している位置情報をメッセージ処理部６に出力する。この位置情報により、ステップＳ４の「いいえ」が実行される。
【００５２】
そして、印刷部４２にフィルムの補充が行われると、印刷部４２はシステム制御部９へのメッセージの出力を停止する。この停止に応じてシステム制御部９は、第１の表示部４１へのメッセージの表示を停止する。また、メッセージ処理部６へのメッセージの供給を停止する。
【００５３】
フィルムの補充後、印刷部４２から撮影画像データが印刷される。操作者は検査室１２１に移動し、近接操作部８２を操作して被検体Ｐを天板１７から降ろした後、操作者が被検体Ｐを伴って出入口１２３から検査室１２１の外へ退出した時点で終了する（ステップＳ６）。
【００５４】
次に、図５を参照して、予め設定された通知条件に検査を区分した各検査シーンが含まれるメッセージの例、及びこのメッセージが各検査シーンに基づいて処理される例を説明する。
【００５５】
図５は、予め設定された通知条件に検査シーンが含まれているメッセージの例を示した図である。この通知条件９１は、第１及び第２の表示部４１，７１に表示されるメッセージが設定された「表示メッセージ」の欄、及び検査の各検査シーン及びこの検査シーンにおける決定条件及び出力条件が設定された「メッセージ通知条件」の欄などにより構成される。
【００５６】
「表示メッセージ」の欄には、記憶部３２の画像データ等を保存するメモリの保存可能な容量が、所定の量よりも残り少なくなったときに出力されるメッセージである例えば「ディスク容量が残り少ないです」が設定されている。
【００５７】
「メッセージ通知条件」の欄は、「検査シーン」の欄、「決定条件」の欄、及び「出力条件」の欄により構成される。そして、「検査シーン」の欄には、被検体Ｐを検査室１２１内に入室させてから操作部８から透視開始操作又は撮影操作が行われるまでの間である「検査準備中」、透視開始操作と透視終了操作の間又は撮影操作である「撮影中」、透視終了操作又は撮影操作が行われた後に被検体Ｐを検査室１２１から退室させるまでの間である「後処理中」等の各検査シーンに区分されている。
【００５８】
また、「決定条件」の欄には、「検査シーン」の欄で区分された検査シーンである「検査準備中」及び「撮影中」に対応する「重要」が設定されている。また、「後処理中」に対応する「不必要」設定されている。そして、「重要」が設定されていると、メッセージが「検査準備中」及び「撮影中」の検査シーンに出力されたときに決定部６２により重要であると決定される。また、「不必要」が設定されていると、メッセージが「後処理中」の検査シーンに出力されたときに不必要であると決定され、メッセージ出力部７へのメッセージの出力が停止される。
【００５９】
更に、「出力条件」の欄には、「検査シーン」の欄で「検査準備中」に区分された「決定条件」の欄の「重要」に対応する「表示及び音声」が設定されている。また「検査シーン」の欄で「撮影中」に区分された「決定条件」の欄の「重要」に対応する「表示」が設定されている。更に「決定条件」の欄の「不必要」に対しては設定されていない。そして、「表示及び音声が」が設定されていると、指示部６３により第２の表示部７１及び音声部７２にメッセージを出力させる。また「表示」が設定されていると、第２の表示部７１にメッセージを出力させる。更に出力条件が設定されていないと、メッセージ出力部７へのメッセージの出力が停止される。
【００６０】
ここで、操作部８から撮影操作が行われたとき、画像データ生成部３１で生成された撮影画像データが記憶部３２に保存する動作が行われるため、記憶部３２のメモリの保存可能な容量が所定の量よりも少ないと、「ディスク容量が残り少ないです」のメッセージをシステム制御部９に出力する。そして、そのメッセージの処理が、図４のステップＳ２乃至Ｓ６と同様のステップで実行される。
【００６１】
そして、決定部６２では、通知条件９１の「検査シーン」の欄の「撮影中」に対応する「決定条件」の欄の「重要」に基づいて、「ディスク容量が残り少ないです」の容量不足のメッセージを重要であると決定する。次いで、位置検出部５から出力された位置情報に基づいて、重要であると決定した容量不足のメッセージを出力部７に出力させる必要があるか否かを決定する。更に、指示部６３では、操作者が検査室１２１内に位置しているとき重要であると決定した容量不足のメッセージを、通知条件９１に設定された「出力条件」の欄の「表示」に基づいて、第２の表示部７１に表示させる。
【００６２】
このように、各検査シーンに応じた決定条件及び出力条件を設定した通知条件９１を用いてメッセージの処理を行うことにより、被検体Ｐに不用な不安を与えるのを防ぐと共に、メッセージを即座に通知することができる。これにより、操作者がメッセージを容易に確認することができる。
【００６３】
以上述べたように本発明の実施例によれば、Ｘ線診断装置１００の各ユニットからのメッセージが重要であるか否かを決定する。そして、前記メッセージが重要である場合、操作者が検査室１２１内に位置しているときには操作室１２２に配置された第１の表示部４１にその重要であるメッセージを表示すると共に、検査室１２１内に配置されたメッセージ出力部７に第１の表示部４１よりも識別可能に出力することにより、メッセージを即座に通知することができる。これにより、操作者がメッセージを容易に確認することができる。
【００６４】
また、前記メッセージが不必要である場合、そのメッセージを第１の表示部４１に表示し、メッセージ出力部７へのそのメッセージの出力を停止することができる。これにより、被検体Ｐに不用な不安を与えることなく、メッセージを通知することができる。
【００６５】
更に、決定したメッセージが重要である場合、操作者が検査室１２１外に位置しているときには第１の表示部４１にその重要であるメッセージを表示し、メッセージ出力部７への重要であるメッセージの出力を停止することにより、被検体Ｐに不用な不安を与えることなく、メッセージを即座に通知することができる。これにより、操作者がメッセージを容易に確認することができる。
【００６６】
以上により、メッセージに応じた作業を迅速に行うことが可能となり、被検体Ｐへの負担を軽減して検査の迅速化を図ることができる。
【図面の簡単な説明】
【００６７】
【図１】本発明の実施例に係るＸ線診断装置の構成を示す図。
【図２】本発明の実施例に係るＸ線診断装置の検査部、データ出力部、位置検出部、メッセージ出力部、及び操作部の配置を示す図。
【図３】本発明の実施例に係るメッセージ処理部の構成を示すブロック図。
【図４】本発明の実施例に係るＸ線診断装置の動作を示すフローチャート。
【図５】本発明の実施例に係る予め設定された通知条件に検査シーンが含まれているメッセージの例を示す図。
【符号の説明】
【００６８】
Ｐ  被検体
１  検査部
２  高電圧部
３  画像処理部
４  データ出力部
５  位置検出部
６  メッセージ処理部
７  メッセージ出力部
８  操作部
９  システム制御部
３１  画像データ生成部
３２  記憶部
４１  第１の表示部
４２  印刷部
７１  第２の表示部
７２  音声部
８１  遠隔操作部
８２  近接操作部
１００  Ｘ線診断装置
１１０  発信部
【図１】
0005383023.tif 000002
【図２】
0005383023.tif 000003
【図３】
0005383023.tif 000004
【図４】
0005383023.tif 000005
【図５】
0005383023.tif 000006